(57)【要約】【課題】複数の制御局と従局とが確実に通信可能であり、他の無線通信装置への妨害を低減可能とすることで、利便性の高い無線通信システムおよびその通信方法を提供することを目的とする。【解決手段】受信スロットと複数の送信スロットとで構成されるＴＤＭＡ通信フレームで、コードレス電話親機と、ドアホン親機と、コードレス電話子機とが通信を行う場合、コードレス電話親機は、所定スロットを同期スロット（Ｓ１）として制御情報を送信し、ドアホン親機は、同期スロットで制御情報を受信するとともにコードレス電話親機に同期し、同期スロットと重ならないスロットを同報スロット（Ｓ２）として同報スロットで必要に応じて制御情報を送信し、コードレス電話子機は、コードレス電話親機からの制御情報を受信すると、制御情報を受信した同期スロットの時間位置に基づいて判別した時間幅でドアホン親機からの制御情報を待ち受ける。【選択図】図６
2006352411.tif 000002
【特許請求の範囲】
【請求項１】
受信スロットと複数の送信スロットとで構成されるＴＤＭＡ通信方式で、主制御局から制御情報が送信される前記送信スロットの中の所定スロットである同期スロットで制御情報を受信するとともに前記主制御局に同期し、前記同期スロットと重ならないスロットを同報スロットとして必要に応じて制御情報を送信する少なくとも１台の副制御局と、
前記主制御局に同期した受信スロットと送信スロットにより前記主制御局および少なくとも１台の前記副制御局と通信可能な従属局とを備え、
前記従属局は、前記主制御局からの前記制御情報を受信すると、該制御情報を受信した同期スロットの時間位置に基づいた受信スロットで前記副制御局からの制御情報を待ち受ける、無線通信システム。
【請求項２】
前記副制御局は、通信開始の最初の同報スロットで制御情報を送信する以外は、送信すべき制御情報があるときのみ前記同報スロットで制御情報を送信する請求項１記載の無線通信システム。
【請求項３】
前記副制御局は、受信レベルに応じた出力を行う受信レベル検知手段を備え、制御信号を送信しようとするスロットの受信を行い、前記受信レベルに応じて制御信号の送信を行うか否かを決定する請求項１または２記載の無線通信システム。
【請求項４】
前記副制御局は、定期的に前記同報スロットで制御情報を送信する請求項１から３記載の無線通信システム。
【請求項５】
前記従属局は、前記主制御局または前記副制御局との通信を行っていても、前記同期スロットおよび前記同報スロットで制御情報を受信する請求項１から４記載の無線通信システム。
【請求項６】
前記副制御局は前記同期スロットを受信するスロットを除くフレーム内の送受信スロットの構成を主制御局の構成と同じにした請求項１から５記載の無線通信システム。
【請求項７】
前記主制御局と従属局が通信を行う際の通信スロットを従属局が決定する請求項１から６記載の無線通信システム。
【請求項８】
前記副制御局と従属局が通信を行う際の通信スロットを従属局が決定する請求項１から７記載の無線通信システム。
【請求項９】
前記主制御局から前記送信スロットで送信されるデータを中継する無線中継装置を備え、
前記無線中継装置は、前記同期スロットで制御情報を受信するとともに前記主制御局に同期し、前記同期スロットおよび前記同報スロット以外の前記送信スロットで前記同期スロットで受信した制御情報を送信する請求項１から８のいずれかの項に記載の無線通信システム。
【請求項１０】
前記副制御局から前記送信スロットで送信されるデータを中継する無線中継装置を備え、
前記無線中継装置は、前記同報スロットで制御情報を受信するとともに前記副制御局に同期し、前記同期スロットおよび前記同報スロット以外の前記送信スロットで前記同報スロットで受信した制御情報を送信する請求項１から８のいずれかの項に記載の無線通信システム。
【請求項１１】
受信スロットと複数の送信スロットとで構成されるＴＤＭＡ通信フレームで、主制御局と、１台以上の副制御局と、１台以上の従属局とが通信を行う無線通信システムの通信方法であって、
前記主制御局は、前記送信スロットの中の所定スロットを同期スロットとして制御情報を送信し、
前記副制御局は、前記同期スロットで制御情報を受信するとともに前記主制御局に同期し、前記同期スロットと重ならないスロットを同報スロットとして必要に応じて制御情報を送信し、
前記従属局は、前記主制御局に同期した受信スロットと送信スロットにより前記主制御局および前記１台以上の副制御局と通信し、前記主制御局からの制御情報を受信すると、該制御情報を受信した同期スロットの時間位置に基づいて判別した時間幅で前記副制御局からの制御情報を待ち受ける無線通信システムの通信方法。
【請求項１２】
前記副制御局は、通信開始の最初の同報スロットで制御情報を送信する以外は、送信すべき制御情報があるときのみ前記同報スロットで制御情報を送信する請求項１０記載の無線通信システムの通信方法。
【請求項１３】
前記副制御局は、制御信号を送信しようとするスロットの受信を行い、受信レベルに応じて制御信号の送信を行うか否かを決定する請求項１１または１２記載の無線通信システムの通信方法。
【請求項１４】
前記副制御局は、定期的に、または、不定期に、前記同報スロットで制御情報を送信する請求項１１から１３記載の無線通信システムの通信方法。
【請求項１５】
前記従属局は、前記主制御局または前記副制御局との通信を行っていても、前記同期スロットおよび前記同報スロットで制御情報を受信する請求項１１から１４記載の無線通信システムの通信方法。
【請求項１６】
前記副制御局は前記同期スロットを受信するスロットを除くフレーム内の送受信スロットの構成を主制御局の構成と同じにした請求項１１から１５記載の無線通信システムの通信方法。
【請求項１７】
前記主制御局と従属局が通信を行う際の通信スロットを従属局が決定する請求項１１から１６記載の無線通信システムの通信方法。
【請求項１８】
前記副制御局と従属局が通信を行う際の通信スロットを従属局が決定する請求項１１から１７記載の無線通信システムの通信方法。
【請求項１９】
前記主制御局から前記送信スロットで送信されるデータを中継する無線中継装置を備え、
前記無線中継装置は、前記同期スロットで制御情報を受信するとともに前記主制御局に同期し、前記同期スロットおよび前記同報スロット以外の前記送信スロットで前記同期スロットで受信した制御情報を送信する請求項１１から１８のいずれかの項に記載の無線通信システムの通信方法。
【請求項２０】
前記副制御局から前記送信スロットで送信されるデータを中継する無線中継装置を備え、
前記無線中継装置は、前記同報スロットで制御情報を受信するとともに前記副制御局に同期し、前記同期スロットおよび前記同報スロット以外の前記送信スロットで前記同報スロットで受信した制御情報を送信する機能を備えた請求項１１から１８のいずれかの項に記載の無線通信システムの通信方法。
【発明の詳細な説明】
【技術分野】
【０００１】
本発明は、制御局と従属局とが時分割多重で通信を行う無線通信システムおよびその通信方法に関する。
【背景技術】
【０００２】
１つの制御局と複数の従属局とが、ＴＤＡＭ（時分割多重）方式で通信を行う通信システムがある。例えば、図１６に示すようにコードレス電話装置２０のコードレス電話親機２０ａを制御局とし、複数のコードレス電話子機２０ｂを従属局とすれば、コードレス電話親機２０ａを１階のリビングに配置したとすると、コードレス電話子機２０ｂを２階の子供部屋に１台、寝室に１台というように配置することで、着信の度にコードレス電話親機２０ａまで通話しに行かなくても良いので利便性が非常に高い（図１６においてはコードレス電話子機２０ｂは１台だけ図示している。）。
【０００３】
ところで、一般家庭では、カメラ付きドアホン装置２１を設置する場合がある。カメラ付きドアホン装置２１は、カメラ、マイク、スピーカ、およびチャイムを鳴らす鳴動用ボタンなどを備えた玄関子機２１ａが門柱などに設置され、モニタ、マイク、スピーカ、および通話状態とする応答用ボタンを備えたドアホン親機２１ｂがリビングなどに設置される。
【０００４】
来訪者が鳴動用ボタンを押下すると、ドアホン親機２１ｂからチャイムがなることで来訪者がわかるが、その応答にはドアホン親機２１ｂが設置されているリビングまで行く必要がある。
【０００５】
そこで、鳴動用ボタンが押下されると、ドアホン親機２１ｂから離れた場所にいても無線で知らせてくれるようなドアホン子機があれば、コードレス電話装置２０と同様に、わざわざリビングに行く必要がないので利便性が高いと思われる。つまりドアホン親機２１ｂを制御局とし、ドアホン子機を従属局として通信すれば、離れた位置にあっても来訪者１３を通知したり、来訪者と会話することが可能となる。
【０００６】
しかし、これではコードレス電話子機２０ｂや、ドアホン子機など、それぞれの用途にしか使用できない子機が増えてしまい、使用するときになってそれぞれの子機を探したり、子機が紛失したりするなど問題がある。またコードレス電話装置２０とコードレス化したドアホン装置とで混信するおそれもある。
【０００７】
コードレス電話子機２０ｂを共通で使用して、コードレス電話親機２０ａとドアホン親機２１ｂとに無線で通信できれば、子機の数は増えずに済む。そのためには、コードレス電話子機２０ｂを、コードレス電話親機２０ａおよびドアホン親機２１ｂにそれぞれ対応した共用の無線部を設ければよいが、そうなると可搬性が重要であるコードレス電話子機の重量も重くなるし、共用の無線部にしたからといってコードレス電話装置２０とコードレス化したドアホン装置とで混信が無くなるわけではない。
【０００８】
このような、複数の制御局と従属局とが通信する無線通信システムの無線電話装置親機が知られている（例えば特許文献１参照）。この無線電話装置親機は、公衆基地局のタイムスロットのタイミングを抽出し、このタイミングに基づいて、公衆基地局の送信用タイムスロットと重ならない無線通信装置親機の送信用タイムスロットで無線電話装置子機と通信するものである。この技術を適用することで、公衆基地局をコードレス電話親機２０ａとし、無線通信装置親機をドアホン親機２１ｂとすれば、他方のタイムスロットのタイミングを抽出し、このタイミングに基づいて、それぞれの送信タイムスロットが重ならないよう通信を行うことにより、コードレス電話親機２０ａとドアホン親機２１ｂの混信が防止できるとともに、コードレス電話子機２１ｂには、１つ無線部で両方と通信が可能となる。
【特許文献１】特開平７−８７５５６号公報
【発明の開示】
【発明が解決しようとする課題】
【０００９】
しかし、上記従来の構成の無線電話装置親機では、公衆基地局の送信タイミングに同期して、それぞれの送信タイミングが重ならないよう送信を行うのみであったため、無線電話装置子機はそれぞれの送信を受信することが可能となるが、無線電話装置子機が公衆基地局、または無線電話電話親機との通信を行っている状態で、他方の受信を行う技術については開示されておらず、待ち受け中に両方の受信を行っていても通信状態に移行した後は、通信用の無線チャネルによっては、他方の制御用無線チャネルの受信ができない場合が発生する課題がある。
【００１０】
また、上記従来の構成の無線電話装置親機は、公衆基地局と異なるフレームタイミングで子機との通信を行うため、無線電話装置子機がフレームタイミングを公衆基地局に合わせた場合、無線装置親機の送信スロットと無線電話装置子機の受信スロットのずれが生じ、無線電話装置親機と無線電話装置子機の間で、使用できないスロットが発生するという課題がある。
【００１１】
また、上記従来の構成の無線電話装置親機の技術を、コードレス電話装置２０およびドアホン装置２１に適用した場合であっても、コードレス電話親機およびドアホン親機は制御局として動作し、それぞれが特定のスロットで同期確立用の制御情報を送信しているので、コードレス電話子機２０ｂとの通信を行っていないときでも、２つの制御情報が送信されてしまうので、他の無線通信をする無線通信装置、例えば、パーソナルコンピュータ間のデータ通信を無線で行う無線ＬＡＮや他のコードレス電話などの無線通信装置に妨害を与えるおそれもある。
【００１２】
そこで本発明は、複数の制御局と従属局とが確実に通信可能であり、他の無線通信装置への妨害を低減可能とすることで、利便性の高い無線通信システムおよびその通信方法を提供することを目的とする。
【課題を解決するための手段】
【００１３】
本発明は、受信スロットと複数の送信スロットとで構成されるＴＤＭＡ方式の通信フレームで、前記送信スロットの中の所定スロットを同期スロットとして制御情報を送信する主制御局と、前記同期スロットで制御情報を受信するとともに前記主制御局に同期し、前記同期スロットと重ならないスロットを同報スロットとして必要に応じて制御情報を送信する１台以上の副制御局と、前記主制御局に同期した受信スロットと送信スロットにより前記主制御局および前記１台以上の副制御局と通信可能な従属局とを備え、前記従属局は、前記主制御局からの制御情報を受信すると、該制御情報を受信した同期スロットの時間位置に基づいて判別した時間幅で前記副制御局からの制御情報を待ち受けることを特徴とする。
【発明の効果】
【００１４】
本発明は、制御局が複数あっても、その中の１台を主制御局として同期情報を同期スロットで送信し、他の制御局は副制御局として必要に応じて制御情報を送信するので、他の無線通信装置への妨害を低減することが可能である。
【００１５】
また、主制御局と副制御局とがフレームタイミングを一致させ、主制御局または副制御局と従属局とが通信を開始する際には、従属局より選択したスロットで通信を行うようにしたので、通信中も他の制御信号を受信することが可能でる。
【００１６】
また主制御局と他の制御局である副制御局のフレームタイミングを一致させることにより、制御局と、副制御局と、従属局すべてが共通した送受信スロットのフレーム構成で動作することが可能となるので、主制御局、副制御局および従属局との通信の際のスロットの制限を設ける必要がない。
【００１７】
よって、複数の制御局（主制御局および複数の副制御局）と従属局とが確実に通信可能とすることができるので、利便性の高い無線通信システムおよびその通信方法とすることができる。
【発明を実施するための最良の形態】
【００１８】
本願の第１の発明は、受信スロットと複数の送信スロットとで構成されるＴＤＭＡ通信方式で、主制御局から制御情報が送信される送信スロットの中の所定スロットである同期スロットで制御情報を受信するとともに主制御局に同期し、同期スロットと重ならないスロットを同報スロットとして必要に応じて制御情報を送信する少なくとも１台の副制御局と、主制御局に同期した受信スロットと送信スロットにより主制御局および少なくとも１台の副制御局と通信可能な従属局とを備え、従属局は、主制御局からの制御情報を受信すると、該制御情報を受信した同期スロットの時間位置に基づいた受信スロットで副制御局からの制御情報を待ち受けるものである。
【００１９】
主制御局が、送信スロットの中の所定スロットを同期スロットとして制御情報を送信する。それぞれの副制御局は、同期スロットで制御情報を受信するとともに主制御局に同期し、同期スロット以外であって同期スロットと重ならないスロットを同報スロットとし、同報スロットで必要に応じて制御情報を送信する。そして、従属局は、主制御局に同期した受信スロットと送信スロットにより主制御局および１台以上の副制御局と通信可能であり、主制御局からの制御情報を受信すると、制御情報を受信した同期スロットの時間位置に基づいて判別した時間幅で副制御局からの制御情報を待ち受ける。
【００２０】
従って、従属局は同期スロットで主制御局の制御情報を受信し、副制御局から同報スロットで必要に応じて送信される制御情報を受信することで、複数の制御局と通信することができ、副制御局には必要に応じた場合しか制御情報が送信されないので、他の無線通信装置への妨害も低減することが可能である。
【００２１】
また、１台以上の副制御局と１台以上の従属局とは、同期スロットで送信される主制御局からの制御情報に基づいて同期を確立するので、全て主制御局に同期することになる。従って主制御局、副制御局および従属局とで、タイミングのずれが発生しない。よって、制御局が複数あっても、その中の１台を主制御局とし、他を副制御局として、１台以上の副制御局と１台以上の従属局とが、全て主制御局に同期して通信を行うので、タイミングのずれを防止して、確実に通信可能とすることができる。
【００２２】
本願の第２の発明は、さらに副制御局は、通信開始の最初の同報スロットで制御情報を送信する以外は、送信すべき制御情報があるときのみ同報スロットで制御情報を送信するものである。
【００２３】
副制御局が、通信開始の最初の同報スロットで制御情報を送信することで、そのスロットは副制御局が使用するスロットであることが従属局側で判断することができる。従って、副制御局は、それ以降は送信すべき制御情報あるときのみ同報スロットで制御情報を送信する必要がない。
【００２４】
本願の第３の発明は、副制御局は、受信レベルに応じた出力を行う受信レベル検知手段を備え、制御信号を送信しようとするスロットの受信を行い、受信レベルに応じて制御信号の送信を行うか否かを決定することを特徴としたものである。
【００２５】
副制御局が、同報スロットでの制御情報を送信する前に該当スロットの受信を行い、受信レベルに応じて制御情報を送信するので、他の無線通信装置が副制御局が制御信号を送信しようとするスロットを使用していた場合、即ち受信レベルが高かった場合、制御信号の送信を行わないようにすることができるので、他の無線通信装置への妨害を低減することが可能である。また、送信スロット全ての受信を行い、受信レベルの低いスロットを選択して制御信号の送信を行うようにすれば、更に、他の無線通信装置への妨害を低減することが可能である。
【００２６】
本願の第４の発明は、副制御局は、定期的に、または、不定期に、同報スロットで制御情報を送信することを特徴としたものである。
【００２７】
従属局で副制御局の制御信号受信後の待ち受け状態において、同期スロットと同報スロットの以外のスロットの受信を停止する機能を備えれば、副制御局は制御信号を定期的に、または、不定期に送信するので、従属局が起動直後に副制御局の制御信号の受信に失敗してもいずれ副制御局が送信する制御信号を確実に受信できるので、確実に、同期スロットと同報スロットの以外のスロットの受信を停止することが可能となり、従属局の消費電力を削減できる。また、副制御局が送信する制御信号の送信間隔を長くすれば、他の無線通信装置への妨害を低減することも可能である。
【００２８】
本願の第５の発明は、従属局は、主制御局または副制御局との通信を行っていても、同期スロットおよび同報スロットで制御情報を受信することを特徴としたものである。
【００２９】
従属局が、主制御局または副制御局との通信を行っていても、同期スロットおよび同報スロットで制御情報を受信することで、主制御局と通信しつつ、副制御局からの要求や通知を受信することができる。また副制御局と通信しつつ、主制御局からの要求や通知を受信することができる。また従属局は、主制御局との通信を行っている間に同報スロットで副制御局からの制御情報を受信しても良く、さらに従属局は副制御局との通信を行っている間に同期スロットで主制御局からの制御情報を受信しても良い。
【００３０】
本願の第６の発明は、副制御局は同期スロットを受信するスロットを除くフレーム内の送受信スロットの構成を主制御局の構成と同じにしたことを特徴としたものである。
【００３１】
主制御局と副制御局は、同期スロットを除きフレーム内の送受信スロットの構成が同じになるため、従属局は、主制御局の送受信スロットの構成に従い送受信スロットを構成すれば、主制御局が従属局との通信に使用する送受信スロットの構成と従属局の送受信スロットの構成、及び、副制御局が従属局との通信に使用する送受信スロットの構成と従属局の送受信スロットの構成が一致するため、主制御局と従属局、及び、副制御局と従属局の通信において使用できないスロットの制限がなく、通信時のスロット選択の自由度が増し、使用可能なスロットがなく通信ができなくなる危険を低減することが可能となる。
【００３２】
又、副制御局が主制御局の送信スロットの１つを同報スロットとして制御信号を送信するので、従属局は、システム内で決められた制御局側の送信スロットを受信すれば、必ず、主制御局と副制御局両方の制御信号を受信でき、従属局は、フレーム内のスロット構成をシステム内で予め決められた送受信スロットの構成に固定でき、送受信回路の切換えが容易になる。又、従属局は、副制御局の制御信号を受信するために、最大でもシステム内で予め決められた制御局側の送信スロットのみを受信すればよく、消費電力を削減できる。
【００３３】
本願の第７の発明は、主制御局と従属局が通信を行う際の通信スロットを従属局が決定することを特徴としたものである。
【００３４】
主制御局と従属局が通信を行う際の通信スロットを従属局が決定するようにしたので、主制御局と従属局が通信を行う際、従属局は副制御局の制御信号を受信している同報スロットを避けて主制御局と通信を行うことが可能となり、主制御局と従属局が通信を行っている際中も、従属局は副制御局の制御信号を受信可能になるため、主制御局との通信中で有っても副制御局からの呼出を受信し報知することができ、利便性が向上する。
【００３５】
本願の第８の発明は、副制御局と従属局が通信を行う際の通信スロットを従属局が決定することを特徴としたものである。
【００３６】
副制御局と従属局が通信を行う際の通信スロットを従属局が決定するようにしたので、副制御局と従属局が通信を行う際、従属局は主制御局の制御信号を受信している同期スロットを避けて副制御局と通信を行うことが可能となり、副制御局と従属局が通信を行っている際中も、従属局は主制御局の制御信号を受信可能になるため、副制御局との通信中で有っても主制御局からの呼出を受信し報知することができ、利便性が向上する。
【００３７】
本願の第９の発明は、主制御局から送信スロットで送信されるデータを中継する無線中継装置を備え、無線中継装置は、同期スロットで制御情報を受信するとともに主制御局に同期し、同報スロット以外の送信スロットで同期スロットで受信した制御情報を送信する機能を備えたことを特徴としたものである。
【００３８】
この場合、同期スロットで制御情報を受信するとともに主制御局に同期し、同報スロット以外の送信スロットで送信する。従って、副制御局または従属局が主制御局と離れた位置にあり、直接通信することができなくとも、無線中継装置が、主制御局と同期して、同期スロットの制御情報を中継するので、主制御局と通信できない副制御局または従属局は、無線中継装置と同期を確立しつつ通信することができる。又、主制御局から送信スロットで送信されるデータを中継する無線中継装置は、副制御局の制御信号を送信する同報スロット以外のスロットを使用して、主制御局のから受信した制御信号を送信するので、従属局は、無線中継装置が送信する制御信号と副制御局が送信する制御信号を別のスロットで受信可能となり、主制御局と副制御局の待ち受けが可能となる。
【００３９】
本願の第１０の発明は、副制御局から送信スロットで送信されるデータを中継する無線中継装置を備え、無線中継装置は、同報スロットで制御情報を受信するとともに副制御局に同期し、同期スロット以外の送信スロットで同報スロットで受信した制御情報を送信する機能を備えたことを特徴としたものである。
【００４０】
この場合、同報スロットで制御情報を受信するとともに副制御局に同期し、同期スロット以外の送信スロットで送信する。従って、従属局が副制御局と離れた位置にあり、直接通信することができなくとも、無線中継装置が、副制御局と同期して、同報スロットの制御情報を中継するので、副制御局と通信できない従属局は、無線中継装置と同期を確立しつつ通信することができる。又、副制御局から送信スロットで送信されるデータを中継する無線中継装置は、主制御局の制御信号を送信する同期スロット以外のスロットを使用して、副制御局のから受信した制御信号を送信するので、従属局は、無線中継装置が送信する制御信号と主制御局が送信する制御信号を別のスロットで受信可能となり、主制御局と副制御局の待ち受けが可能となる。
【００４１】
本願の第１１の発明は、受信スロットと複数の送信スロットとで構成されるＴＤＭＡ通信フレームで、主制御局と、１台以上の副制御局と、１台以上の従属局とが通信を行う無線通信システムの通信方法であって、主制御局は、送信スロットの中の所定スロットを同期スロットとして制御情報を送信し、副制御局は、同期スロットで制御情報を受信するとともに主制御局に同期し、同期スロットと重ならないスロットを同報スロットとして必要に応じて制御情報を送信し、従属局は、主制御局に同期した受信スロットと送信スロットにより主制御局および１台以上の副制御局と通信し、主制御局からの制御情報を受信すると、該制御情報を受信した同期スロットの時間位置に基づいて判別した時間幅で副制御局からの制御情報を待ち受けることを特徴としたものである。
【００４２】
主制御局が、送信スロットの中の所定スロットを同期スロットとして制御情報を送信する。それぞれの副制御局は、同期スロットで制御情報を受信するとともに主制御局に同期し、同期スロット以外であって同期スロットと重ならないスロットを同報スロットとし、同報スロットで必要に応じて制御情報を送信する。そして、従属局は、主制御局に同期した受信スロットと送信スロットにより主制御局および１台以上の副制御局と通信可能であり、主制御局からの制御情報を受信すると、制御情報を受信した同期スロットの時間位置に基づいて判別した時間幅で副制御局からの制御情報を待ち受ける。
【００４３】
従って、従属局は同期スロットで主制御局の制御情報を受信し、副制御局から同報スロットで必要に応じて送信される制御情報を受信することで、複数の制御局と通信することができ、副制御局には必要に応じた場合しか制御情報が送信されないので、他の無線通信装置への妨害も低減することが可能である。
【００４４】
また、１台以上の副制御局と１台以上の従属局とは、同期スロットで送信される主制御局からの制御情報に基づいて同期を確立するので、全て主制御局に同期することになる。従って主制御局、副制御局および従属局とで、タイミングのずれが発生しない。よって、制御局が複数あっても、その中の１台を主制御局とし、他を副制御局として、１台以上の副制御局と１台以上の従属局とが、全て主制御局に同期して通信を行うので、タイミングのずれを防止して、確実に通信可能とすることができる。
【００４５】
本願の第１２の発明は、副制御局は、通信開始の最初の同報スロットで制御情報を送信する以外は、送信すべき制御情報があるときのみ同報スロットで制御情報を送信することを特徴としたものである。
【００４６】
副制御局が、通信開始の最初の同報スロットで制御情報を送信することで、そのスロットは副制御局が使用するスロットであることが従属局側で判断することができる。従って、副制御局は、それ以降は送信すべき制御情報あるときのみ同報スロットで制御情報を送信する必要がない。
【００４７】
本願の第１３の発明は、副制御局は、制御信号を送信しようとするスロットの受信を行い、受信レベルに応じて制御信号の送信を行うか否かを決定することを特徴としたものである。
【００４８】
副制御局が、同報スロットでの制御情報を送信する前に該当スロットの受信を行い、受信レベルに応じて制御情報を送信するので、他の無線通信装置が副制御局が制御信号を送信しようとするスロットを使用していた場合、即ち受信レベルが高かった場合、制御信号の送信を行わないようにすることができ、他の無線通信装置への妨害を低減することが可能である。また、送信スロット全ての受信を行い、受信レベルの低いスロットを選択して制御信号の送信を行うようにすれば、更に、他の無線通信装置への妨害を低減することが可能である。
【００４９】
本願の第１４の発明は、副制御局は、定期的に、または、不定期に、同報スロットで制御情報を送信することを特徴としたものである。
【００５０】
従属局で副制御局の制御信号受信後の待ち受け状態において、同期スロットと同報スロットの以外のスロットの受信を停止する機能を備えれば、副制御局は制御信号を定期的に、または、不定期に送信するので、従属局が起動直後に副制御局の制御信号の受信に失敗してもいずれ副制御局が送信する制御信号を確実に受信できるので、確実に、同期スロットと同報スロットの以外のスロットの受信を停止することが可能となり、従属局の消費電力を削減できる。また、副制御局が送信する制御信号の送信間隔を長くすれば、他の無線通信装置への妨害を低減することも可能である。
【００５１】
本願の第１５の発明は、従属局は、主制御局または副制御局との通信を行っていても、同期スロットおよび同報スロットで制御情報を受信することを特徴としたものである。
【００５２】
従属局が、主制御局または副制御局との通信を行っていても、同期スロットおよび同報スロットで制御情報を受信することで、主制御局と通信しつつ、副制御局からの要求や通知を受信することができる。また副制御局と通信しつつ、主制御局からの要求や通知を受信することができる。また従属局は、主制御局との通信を行っている間に同報スロットで副制御局からの制御情報を受信しても良く、さらに従属局は副制御局との通信を行っている間に同期スロットで主制御局からの制御情報を受信しても良い。
【００５３】
本願の第１６の発明は、副制御局は同期スロットを受信するスロットを除くフレーム内の送受信スロットの構成を主制御局の構成と同じにしたことを特徴としたものである。
【００５４】
主制御局と副制御局は、同期スロットを除きフレーム内の送受信スロットの構成が同じになるため、従属局は、主制御局の送受信スロットの構成に従い送受信スロットを構成すれば、主制御局が従属局との通信に使用する送受信スロットの構成と従属局の送受信スロットの構成、及び、副制御局が従属局との通信に使用する送受信スロットの構成と従属局の送受信スロットの構成が一致するため、主制御局と従属局、及び、副制御局と従属局の通信において使用できないスロットの制限がなく、通信時のスロット選択の自由度が増し、使用可能なスロットがなく通信ができなくなる危険を低減することが可能となる。
【００５５】
又、副制御局が主制御局の送信スロットの１つを同報スロットとして制御信号を送信するので、従属局は、システム内で決められた制御局側の送信スロットを受信すれば、必ず、主制御局と副制御局両方の制御信号を受信でき、従属局は、フレーム内のスロット構成をシステム内で予め決められた送受信スロットの構成に固定でき、送受信回路の切換えが容易になる。又、従属局は、副制御局の制御信号を受信するために、最大でもシステム内で予め決められた制御局側の送信スロットのみを受信すればよく、消費電力を削減できる。
【００５６】
本願の第１７の発明は、主制御局と従属局が通信を行う際の通信スロットを従属局が決定することを特徴としたものである。
【００５７】
主制御局と従属局が通信を行う際の通信スロットを従属局が決定するようにしたので、主制御局と従属局が通信を行う際、従属局は副制御局の制御信号を受信している同報スロットを避けて主制御局と通信を行うことが可能となり、主制御局と従属局が通信を行っている際中も、従属局は副制御局の制御信号を受信可能になるため、主制御局との通信中で有っても副制御局からの呼出を受信し報知することができ、利便性が向上する。
【００５８】
本願の第１８の発明は、副制御局と従属局が通信を行う際の通信スロットを従属局が決定することを特徴としたものである。
【００５９】
副制御局と従属局が通信を行う際の通信スロットを従属局が決定するようにしたので、副制御局と従属局が通信を行う際、従属局は主制御局の制御信号を受信している同期スロットを避けて副制御局と通信を行うことが可能となり、副制御局と従属局が通信を行っている際中も、従属局は主制御局の制御信号を受信可能になるため、副制御局との通信中で有っても主制御局からの呼出を受信し報知することができ、利便性が向上する。
【００６０】
本願の第１９の発明は、主制御局から送信スロットで送信されるデータを中継する無線中継装置を備え、無線中継装置は、同期スロットで制御情報を受信するとともに主制御局に同期し、同期スロットおよび同報スロット以外の送信スロットで同期スロットで受信した制御情報を送信することを特徴としたものである。
【００６１】
この場合、同期スロットで制御情報を受信するとともに主制御局に同期し、同報スロット以外の送信スロットで送信する。従って、副制御局または従属局が主制御局と離れた位置にあり、直接通信することができなくとも、無線中継装置が、主制御局と同期して、同期スロットの制御情報を中継するので、主制御局と通信できない副制御局または従属局は、無線中継装置と同期を確立しつつ通信することができる。又、主制御局から送信スロットで送信されるデータを中継する無線中継装置は、副制御局の制御信号を送信する同報スロット以外のスロットを使用して、主制御局のから受信した制御信号を送信するので、従属局は、無線中継装置が送信する制御信号と副制御局が送信する制御信号を別のスロットで受信可能となり、主制御局と副制御局の待ち受けが可能となる。
【００６２】
本願の第２０の発明は、副制御局から送信スロットで送信されるデータを中継する無線中継装置を備え、無線中継装置は、同報スロットで制御情報を受信するとともに副制御局に同期し、同期スロットおよび同報スロット以外の送信スロットで同報スロットで受信した制御情報を送信する機能を備えたことを特徴としたものである。
【００６３】
この場合、同報スロットで制御情報を受信するとともに副制御局に同期し、同期スロット以外の送信スロットで送信する。従って、従属局が副制御局と離れた位置にあり、直接通信することができなくとも、無線中継装置が、副制御局と同期して、同報スロットの制御情報を中継するので、副制御局と通信できない従属局は、無線中継装置と同期を確立しつつ通信することができる。又、副制御局から送信スロットで送信されるデータを中継する無線中継装置は、主制御局の制御信号を送信する同期スロット以外のスロットを使用して、副制御局のから受信した制御信号を送信するので、従属局は、無線中継装置が送信する制御信号と主制御局が送信する制御信号を別のスロットで受信可能となり、主制御局と副制御局の待ち受けが可能となる。
【実施例】
【００６４】
（実施の形態）
本発明の実施の形態に係る無線通信システムの構成を図１から図４に基づいて説明する。図１は、本発明の実施の形態に係る無線通信システムの構成を示す図である。図２は、本発明の実施の形態に係るドアホン装置の構成を説明する図である。図３は、本発明の実施の形態に係るコードレス電話装置のコードレス電話親機の構成を説明する図である。図４は、本発明の実施の形態に係るコードレス電話装置のコードレス電話子機の構成を説明する図である。
【００６５】
図１に示すように、本発明の実施の形態に係る無線通信システム１は、ドアホン装置２と、コードレス電話装置３とを備えている。ドアホン装置２は、玄関子機２ａと、ドアホン親機２ｂとから構成される。コードレス電話装置３は、コードレス電話親機３ａとコードレス電話子機３ｂとを備えている。図１では、コードレス電話子機３ｂとして１台しか図示していないが複数でもよい。本実施の形態の無線通信システム１では、コードレス電話親機３ａが主制御局、ドアホン親機２ｂが副制御局、コードレス電話子機３ｂが従属局となり、ＴＤＭＡ方式で無線通信を行っている。
【００６６】
図２に示すように、ドアホン装置２は、玄関子機２ａとドアホン親機２ｂとは有線で接続されている。玄関子機２ａは、来訪者を撮像するカメラ部１０１と、来訪者と通話するための通話部１０２と、来訪者による呼び出しを検知して呼び出し通知としてドアホン親機２ｂへ送信する呼び出し検知部１０３と、撮像した来訪者の映像データと音声データと呼び出し通知を多重したり、分離したりしてドアホン親機２ｂとの通信を行う多重分離回路１０４とを備えている。
【００６７】
ドアホン親機２ｂは、モニタ回路２０１と、モニタ２０２と、画像情報記憶部２０３と、呼び出し検知部２０４と、報知部２０５と、音声回路２０６と、通話部２０７と、同期処理部２０８と、フレーム処理部２０９と、無線部２１０と、操作部２１１と、アンテナ２１３と、制御部２１４と、電話親機ＩＤ記憶部２１５と、ドアホンＩＤ記憶部２１６と、多重分離回路２２０とを備えている。
【００６８】
モニタ回路２０１は、多重分離回路２２０に接続され、玄関子機２ａからの映像データをモニタ２０２へ表示させる。
【００６９】
画像情報記憶部２０３は、玄関子機２ａからの映像データをモニタ回路２０１を介して記憶し、制御部２１４へ出力する。
【００７０】
呼び出し検知部２０４は、多重分離回路２２０に接続され、玄関子機２ａの呼び出し検知部１０３からの呼び出し通知を検知して報知部２０５のチャイムなどを鳴動させて使用者へ来訪者があることを報知するとともに制御部２１４へ通知する。
【００７１】
音声回路２０６は、多重分離回路２２０に接続され、通話部２０７のマイクから入力された音声信号を音声データへ変換して玄関子機２ａへ送信したり、玄関子機２ａから受信した音声データを音声信号に変換して通話部２０７のスピーカにより鳴らしたり、コードレス電話子機３ｂと通信する際に音声データを玄関子機２ａへ中継したりする機能を備えている。
【００７２】
同期処理部２０８は、フレーム処理部２０９および制御部２１４と接続され、パケットの先頭のプリアンブルとシンクワードで同期処理を行う。
【００７３】
フレーム処理部２０９は、音声回路２０６、無線部２１０および制御部２１４に接続され、復調データから同期信号元に制御データフィールド及び情報データフィールドを抽出して制御部２１４又は音声回路２０６に出力する機能を備えている。
【００７４】
無線部２１０は、ＴＤＭＡ方式で通信行うための変調および復調を行いアンテナ２１３を介して送受信する。
【００７５】
操作部２１１は、来訪者と通話する際に押下されるキーを備えている。
【００７６】
制御部２１４は、玄関子機２ａおよびドアホン親機２ｂを総括制御するものである。
【００７７】
電話親機ＩＤ記憶部２１５は、主制御局であるコードレス電話親機３ａの識別情報であるＩＤが登録されている。ドアホンＩＤ記憶部２１６は、副制御局である自装置のＩＤが登録されており、制御部２１４から読み出し可能に接続されている。
【００７８】
次にコードレス電話装置３について図３および図４に基づいて詳細に説明する。まず図３に基づいてコードレス電話親機３ａを説明する。
【００７９】
図３に示すように、コードレス電話親機３ａは、回線インタフェース部３０１と、音声回路３０２と、着信検知部３０３と、子機ＩＤ記憶部３０４と、電話親機ＩＤ記憶部３０５と、フレーム処理部３０６と、無線部３０７と、アンテナ３０８と、制御部３１１とを備えている。
【００８０】
回線インタフェース部３０１は、電話回線４と接続され着信検知部３０３へ出力するとともに、音声回路３０２へ出力する。また音声回路３０２からのアナログの音声信号を電話回線４へ送信する。
【００８１】
音声回路３０２は、音声信号をデジタルの音声データへ変換したり、音声データを音声信号へ変換したりする機能を備えている。
【００８２】
着信検知部３０３は、回線インタフェース部３０１と制御部３１１に接続されており、電話回線４からの音声信号により着信を検知して制御部３１１へ通知する。
【００８３】
子機ＩＤ記憶部３０４は、通信相手となる従属局であるコードレス電話子機３ｂのＩＤが登録されている。電話機親機ＩＤ記憶部３０５は、主制御局である自装置のＩＤが登録されており、制御部３１１から読み出し可能に接続されている。
【００８４】
フレーム処理部３０６は、音声回路３０２、無線部３０７および制御部３１１に接続され、復調データから同期信号元に制御データフィールド及び情報データフィールドを抽出して制御部３１１又は音声回路３０２に出力する機能を備えている。
【００８５】
無線部３０７は、ＴＤＭＡ方式で通信行うための変調および復調を行いアンテナ３０８を介して送受信する。
【００８６】
制御部３１１は、コードレス電話親機３ａを総括制御するものである。
【００８７】
次に、コードレス電話子機３ｂについて図４に基づいて詳細に説明する。図４に示すように、コードレス電話子機３ｂは、報知部４０１と、音声回路４０２と、通話部４０３と、モニタ回路４０４と、同期処理部４０５と、フレーム処理部４０６と、無線部４０７と、アンテナ４０８と、操作部４０９と、制御部４１０と、子機ＩＤ記憶部４１１と、電話親機ＩＤ記憶部４１２と、ドアホンＩＤ記憶部４１３と、モニタ４１４とを備えている。
【００８８】
報知部４０１は、制御部４１０に接続されており、制御部４１０からの通知により、電話回線４からの着信や、ドアホン装置２からの来訪者の通知を報知する。
【００８９】
音声回路４０２は、制御部４１０に接続され、通話部４０３のマイクから入力された音声信号を音声データへ変換して制御部４１０や、フレーム処理部４０６へ出力したり、制御部４１０またはフレーム処理部４０６から入力した音声データを音声信号に変換して通話部４０３のスピーカにより鳴らしたりする。
【００９０】
モニタ回路４０４は、制御部４１０に接続され、ドアホン装置２からの映像データをモニタ４１４へ表示させる。
【００９１】
同期処理部４０５は、フレーム処理部４０６および制御部４１０と接続され、パケットの先頭のプリアンブルとシンクワードで同期処理を行う。
【００９２】
フレーム処理部４０６は、音声回路４０２、無線部４０７および制御部４１０に接続され、復調データから同期信号元に制御データフィールド及び情報データフィールドを抽出して制御部３１１又は音声回路４０２に出力する機能を備えている。
【００９３】
無線部４０７は、ＴＤＭＡ方式で通信行うための変調および復調を行いアンテナ４０８を介して送受信する。
【００９４】
操作部４０９は、発信先電話番号を入力する際に使用される番号キーと、オンフック／オフフックするためキーや、リダイアルするためのキーなどの機能キーを備えている。
【００９５】
制御部４１０は、コードレス電話子機３ｂを総括制御するものである。
【００９６】
子機ＩＤ記憶部４１１は、従属局である自装置のＩＤが登録されている。電話機親機ＩＤ記憶部４１２は、主制御局であるコードレス電話親機３ａのＩＤが登録されている。ドアホンＩＤ記憶部４１３は、副制御局であるドアホン親機２ｂのＩＤが登録されている。この子機ＩＤ記憶部４１１と、電話機親機ＩＤ記憶部４１２と、ドアホンＩＤ記憶部４１３とは、制御部４１０から読み出し可能に接続されている。
【００９７】
以上のように構成される本発明の実施の形態に係る無線通信システム１のドアホン親機２ｂ、コードレス電話親機３ａおよびコードレス電話子機３ｂがＴＤＭＡ方式で通信を行うときのパケットデータのフォーマットを図５に基づいて説明する。図５（Ａ）および同図（Ｂ）は、パケットデータのフォーマットを説明する図である。
【００９８】
図５（Ａ）に示すように、データパケットは、制御情報を送信するときに使用されるパケットと、音声データや映像データを送信するときに使用されるパケットとがある。いずれのパケットデータも、同期信号と制御データフィールドと、制御データフィールドのチェックコードが格納されるＣＲＣ（Ｃｙｃｌｉｃ  Ｒｅｄｕｎｄａｎｃｙ  Ｃｈｅｃｋ）１のフィールドとを有している。
【００９９】
同期信号は、プリアンブルおよびシンクワードで構成され、通信元と同期を図るためのものである。制御データフィールドは、メッセージが格納されている。
【０１００】
また、音声データや画像データは、情報データフィールドに格納され、この情報データフィールドのチェックコードがＣＲＣ２に格納される。
【０１０１】
図５（Ｂ）に示すように、制御データフィールドは、ヘッダ部とテール部とで構成され、ヘッダ部にはメッセージが格納される。テール部は、ヘッダ部に格納されるメッセージの内容に応じて格納される内容が異なる。例えば、ＮＴメッセージであれば、送信元のＩＤが格納されている。つまりこのＮＴメッセージは、コードレス電話親機３ａ及びドアホン親機２ｂが使用する。主制御局が送信したＮＴメッセージを受信した副制御局および従属局は、そのスロットを主制御局が使用することを認識することができる。又、副制御局が送信したＮＴメッセージを受信した従属局は、そのスロットを副制御局が使用することを認識することができる。
【０１０２】
また、ＰＴメッセージは、呼び出しを行うコードレス電話子機３ｂのＩＤが格納される。これは、電話回線４からの着信があった場合に、コードレス電話親機３ａがその着信を通知するコードレス電話子機３ｂのＩＤが格納されたり、来訪者があった場合に、ドアホン親機２ｂからの呼び出しを通知するコードレス電話子機３ｂのＩＤが格納されたりする。また、複数の子機すべてを同時に呼び出す場合は、全体を呼び出すことを示す特別のＩＤ（例えば、ＡＬＬ０のＩＤ）が格納される。
【０１０３】
ＱＴメッセージは、通信先相手に送信スロットを通知する際に使用される。主制御局が送信したＱＴメッセージを受信した副制御局および従属局は、その制御信号がフレーム内のどのスロットで送信されたかを認識することができ、主制御局とのフレーム、スロットの同期を取ることができる。
【０１０４】
ＭＴメッセージは、コードレス電話親機３ａ及びドアホン親機２ｂが使用する場合と、コードレス電話子機３ｂが使用する場合がある。電話回線４からの着信があり、コードレス電話親機３ａからコードレス電話子機３ｂへＰＴメッセージが送信されると、オフフックしたコードレス電話子機３ｂからＭＴメッセージによる通話要求が送信され、その確認応答としてコードレス電話親機３ａからＭＴメッセージによる通話応答が送信される。同様に、玄関子機２ａからの着信があり、ドアホン親機２ｂからコードレス電話子機３ｂへＰＴメッセージが送信されると、オフフックしたコードレス電話子機３ｂからＭＴメッセージによる通話要求が送信され、その確認応答としてドアホン親機２ｂからＭＴメッセージによる通話応答が送信される。
【０１０５】
次に、上述したようなパケットデータを用いてドアホン親機２ｂ、コードレス電話親機３ａおよびコードレス電話子機３ｂが通信を行うときの動作を、図１から図４に基づいて説明する。
【０１０６】
まずドアホン親機２ｂの動作について説明する。図２に示すように、最初に制御部２１４は、無線部２１０を連続受信状態にし、受信信号のプリアンブルでビット同期を行い、シンクワードの検出によってスロットの時間位置を決定する同期補足動作を開始する。そして無線部２１０で受信して復調されたパケットデータがフレーム処理部２０９に渡される。
【０１０７】
フレーム処理部２０９では、復調されたパケットデータから同期信号元の制御データフィールドを抽出し、制御データフィールドの受信データに基づいて送信元のＩＤ及び受信スロット番号を制御部２１４に出力する。
【０１０８】
制御部２１４では、受信したＩＤが電話親機ＩＤ記憶部２１５に登録されたＩＤに一致すると、電話親機ＩＤ記憶部２１５に登録されたＩＤを受信した送信スロットを同期スロットとして、以降はそのタイミングでコードレス電話親機３ａの受信を行う。そして、制御信号を送信しているスロットを通知する制御情報を受信すると、コードレス電話親機３ａ（主制御局）とのフレーム、スロットの同期を確立する。例えば、コードレス電話親機３ａより制御信号を送信しているスロットが“１”であることを通知されると、制御情報を受信したスロット（同期スロット）がスロット１となるようフレームタイミングを決定する。即ち、ドアホン親機２ｂは、コードレス電話親機３ａとのフレーム、スロットの同期が確立した以降、本無線通信システム内で予め決められた制御局側の送信スロットのうちコードレス電話親機３ａが制御信号を送信している同期スロットを受信スロットとして動作する。そして、本無線通信システム内で予め決められた制御局側の送信スロットから受信動作をしている同期スロットを除いたスロットからの１つのスロットを選択して同報スロットとして、副制御局としての制御情報を送信する。本実施の形態では、コードレス電話親機３ａが送信する同期スロットの次のスロットを、ドアホン親機２ｂの同報スロットとしている。
【０１０９】
そして、制御部２１４は、本無線通信システム内で予め決められた従属局（コードレス電話子機３ｂ）側の送信スロットのうち、同期スロットと同報スロットに対応するスロットを除いたスロットでコードレス電話子機３ｂからの通話要求の受信を待ち受ける定常状態に移行する制御を行う。
【０１１０】
定常状態に移行すると、フレーム処理部２０９は、コードレス電話親機３ａからの制御情報データを同期処理部２０８に通知する。同期処理部２０８は、受信した制御情報のＩＤが電話親機ＩＤ記憶部２１５に記憶されたＩＤに一致すると、フレーム処理部２０９に同期トリガ信号を出力する。フレーム処理部２０９は、同期トリガ信号を元に、ＴＤＭＡ方式のフレーム／スロットのタイミングを補正し、コードレス電話親機３ａからのパケットの受信タイミングと、パケットの送信タイミングと、コードレス電話子機３ｂからの通話要求の受信を待ち受けるスロットの受信タイミングの位置関係が一定になるようＴＤＭＡ方式のフレーム／スロットのタイミングを調整する。
【０１１１】
次に、コードレス電話親機３ａの動作を説明する。図３に示すように制御部３１１は、電源が投入されると、自己のタイミングでＴＤＭＡ方式のフレーム／スロットのタイミングを決定し、本無線通信システム内で予め決められた制御局側の送信スロットの中の任意の１つのスロットから同期スロットを選択し、制御情報の送信を開始する。制御部３１１は、制御情報の送信タイミングに合わせて、送信スロット番号および電話親機ＩＤ記憶部３０５に登録された自装置のＩＤをフレーム処理部３０６に出力する。フレーム処理部３０６では、送信スロット番号およびＩＤに同期信号等を付加して無線部３０７に出力することで、アンテナ３０８を介して制御情報が送信される。
【０１１２】
そして、制御部３１１は、本無線通信システム内で予め決められた従属局（コードレス電話子機３ｂ）側の送信スロットのうち、同期スロットに対応するスロットを除いたスロットでコードレス電話子機３ｂからの通話要求の受信を待ち受ける定常状態に移行する制御を行う。
【０１１３】
最後に、コードレス電話子機３ｂの動作について説明する。図４に示すように、まず制御部４１０は、ドアホン親機２ｂと同様に、連続受信で電話親機ＩＤ記憶部４１２に記憶されたコードレス電話親機３ａの制御情報を探し、電話親機ＩＤ記憶部４１２に記憶されたコードレス電話親機３ａが送信する制御スロットの送信スロットを通知する制御情報を受信し、コードレス電話親機３ａとＴＤＭＡ方式のフレーム／スロットの同期を確立する。コードレス電話親機３ａとの同期確立後、コードレス電話親機３ａの制御情報を受信するスロット以外の受信スロット（コードレス電話親機３ａ側では送信スロット）、即ち、本無線通信システム内で予め決められた制御局側の送信スロットのうちコードレス電話親機３ａが制御情報を送信するスロット以外のスロットでドアホン親機２ｂの制御情報の受信を行う。制御部４１０は、ドアホンＩＤ記憶部４１３に記憶されたＩＤに一致するドアホン親機２ｂの制御情報を受信すると、コードレス電話親機３ａの制御情報を受信する同期スロットとドアホン親機２ｂの制御情報を受信する同報スロット以外のスロットの受信を停止し、待ち受け状態に移行する。
【０１１４】
次に、ドアホン親機２ｂ、コードレス電話親機３ａおよびコードレス電話子機３ｂが通信を行う際の送信スロットおよび受信スロットの状態を図６から図８に基づいて説明する。図６から図８は、本発明の実施の形態に係る無線通信システム１において通信を行う際の送信スロットおよび受信スロットの状態を説明する図である。
【０１１５】
図６に示すように、本例では、本無線通信システム内で予め決められた制御局側の送信スロットがスロット１からスロット４までの４つのスロット、同じく、従属局側の送信スロットがスロット５からスロット８までの４つのスロットで１つのフレームが構成された時分割多重のスロット配置を示し、無線通信システム１のタイムスロットは、送信スロットが４スロットと、その送信スロットに対応する受信スロットが４スロットとで構成される。
【０１１６】
まずコードレス電話親機３ａは、電源投入されると自己のタイミングでＴＤＭＡ方式のフレーム／スロットのタイミングを決定して本無線通信システム内で予め決められた制御局側の送信スロットの中から任意のスロットを選択して制御情報の送信を開始する（Ｓ１）。図６ではコードレス電話親機３ａは、スロット１を選択して制御情報の送信を開始する例を示しており、制御情報を送信するスロットが、送信スロットのスロット１となり、同期スロットとなる。
【０１１７】
この同期スロットで送信された制御情報に基づいて、ドアホン親機２ｂが同期を確立する（Ｓ２）。そして、ドアホン親機２ｂは、本無線通信システム内で予め決められた制御局側の送信スロットの中の同期スロット以外の送信スロットを選択し、同報スロットとして制御情報を送信する。本実施の形態では、同期スロットの次のスロットであるスロット２を同報スロットとして制御情報を送信している（Ｓ３）。
【０１１８】
同様に、上記同期スロットで送信された制御情報に基づいてコードレス電話子機３ｂが同期を確立する（Ｓ４）。そして、コードレス電話子機３ｂは、同期スロットで同期確立をすると、その同期スロットの時間位置に基づいた受信スロットでドアホン親機２ｂからの制御情報を待ち受ける（Ｓ５）。つまり、スロット２〜スロット４でドアホン親機２ｂからの制御情報を待ち受けている。そして、ドアホン親機２ｂからの制御情報を受信するとコードレス電話子機３ｂからの制御情報を受信しているスロット（同期スロット）とドアホン親機２ｂからの制御情報を受信したスロット（同報スロット）以外のスロットの受信を停止する（Ｓ６）。図６では、同期スロットの次のスロットであるスロット２が同報スロットなので、スロット２でドアホン親機２ｂからの制御情報を待ち受けている。
【０１１９】
同期スロットでのコードレス電話親機３ａによる制御情報の送信は、ドアホン親機２ｂおよびコードレス電話子機３ｂと同期を確立するためのスロットであるため各フレームのスロット１毎に行われる。しかし、同報スロットでのドアホン親機２ｂによる制御情報の送信は、最初のフレームのスロット２で行われる以外は、送信すべき制御情報あるときのみとしている。それは、コードレス電話子機３ｂおよびドアホン親機２ｂは、同期スロットでそれぞれコードレス電話親機３ａと同期確立するので、コードレス電話子機３ｂとドアホン親機２ｂとも同期していることになるからである。従って、ドアホン親機２ｂは、最初のフレームのスロット２を同報スロットとして制御情報を送信した後は、例えば来訪者があり、呼び出し検知部１０３が呼び出しを検知して呼び出し通知を送信するときに送信する。
【０１２０】
なお、本実施の形態では、ドアホン親機２ｂが、同報スロットである最初のフレームのスロット２で制御情報を送信した後は、制御情報があるときのみ送信しているが、１回も送信しないことも可能である。その場合には、コードレス電話子機３ｂで受信スロットで同期スロットを除くスロット（スロット２からスロット４まで）の間を受信状態とし、ドアホン親機２ｂからの制御情報が、どのスロットで送信されるか待ち受けることとなる。
【０１２１】
また予め同期スロットと同報スロットの位置間系を決めておけば、コードレス電話子機３ｂは同期スロットの受信スロットをもとに同報スロットの受信スロットを知ることができスロット２のみを待ち受ければよいので、バッテリの消費を抑制することも可能である。例えば、本実施に形態の例では、同期スロットの次のスロットを同報スロットとすることを決めておけば、コードレス電話子機３ｂはスロット２のみを待ち受ければよい。
【０１２２】
又、ドアホン親機２ｂは、制御信号を複数回送信してもよい。これにより、コードレス電話子機３ｂはドアホン親機２ｂの制御信号を確実に受信できるようになり、コードレス電話子機３ｂは、ドアホン親機２ｂからの制御信号を受信したあとは、特定の同期スロット（図６の例ではスロット２）のみを受信すれば良く、バッテリの消費を抑制することも可能である。又、この時、ドアホン親機２ｂは、数フレーム毎に制御信号を送信することにより、制御信号の送信回数を減らし、他の無線通信装置への妨害も低減することも可能である。
【０１２３】
又、同様に、ドアホン親機２ｂは、制御信号の送信に先立ち、制御信号を送信しようとするスロットの受信を行い、他の無線通信装置が該当スロットを使用していないことを確認して制御信号の送信を行う、即ち、他の無線通信装置との混信の有無の確認と、制御信号の送信を交互に行い、他の無線通信装置への妨害を低減しつつ制御信号を定期的に或いは不定期に送信することも可能である。この場合のドアホン親機２ｂの構成は、例えば、図２に示したドアホン親機２ｂに、受信信号の受信レベルを検知する受信レベル検知手段を設けることに実現される。受信レベル検知手段は、無線部２１０に接続され、無線部２１０の受信回路で受信した受信信号の一部を取り出し、検波整流し、受信信号のレベルに応じた直流出力を出力する回路と、受信信号のレベルに応じた直流出力をデジタル変換するアナログデジタル変換回路とで構成される。制御部２１４は、制御信号を送信する場合、制御信号を送信するスロット（同報スロット）で制御信号を送信しようとする周波数で受信を行うよう、無線部２１０を制御し、同報スロットの受信中、例えば、同報スロットの最初、中間、最後のタイミングでアナログデジタル変換回路より受信信号の出力レベルに応じたデジタル出力を読み込む。そして、読み込んだ受信レベルが予め決められた値以下である時、次フレームの同報スロットで制御信号の送信を行うように制御を行う。又、読み込んだ受信レベルが予め決められた値を超えていた場合、同報スロットにおける受信を継続し、受信レベルが予め決められた値以下になるのを待ち、同報スロットで制御信号の送信を行うように制御を行う。尚、従属局が待ち受け状態において、制御局が送信するすべての送信スロットを受信する無線通信システムの場合は、副制御局は、制御信号を送信しようとするスロットで読み込んだ受信レベルが予め決められた値を超えていた場合、他のスロットの受信を行い、受信レベルが予め決められた値以下のスロットを選択して制御信号を送信するように動作しても良く、同期スロット以外の制御局が送信する全てのスロットの受信を行い、最も受信レベルが低いスロットを選択して制御信号を送信してもよい。
【０１２４】
次に、玄関子機２ａの呼び出し検知部１０３が来訪者の呼び出しを検知したときのドアホン親機２ｂとコードレス電話子機３ｂとの通信の状態を図７に基づいて説明する。
【０１２５】
図７に示すように、ドアホン親機２ｂは、同報スロットであるスロット２で何も送信していない状態から、玄関子機２ａの呼び出し検知部１０３が呼び出しを検知することで、ドアホン呼び出し通知を映像データとともに制御情報としてスロット２の同報スロットでコードレス電話子機３ｂへの送信を開始する（Ｓ７）。
【０１２６】
コードレス電話子機３ｂは、この映像データをモニタ４１４に表示しながら報知部４０１が使用者に報知する（Ｓ８）。
【０１２７】
次に、ドアホン親機２ｂからのドアホン着信通知をコードレス電話子機３ｂが応答するときの通信の状態を図８に基づいて説明する。
【０１２８】
図８に示すように、ドアホン親機２ｂからコードレス電話子機３ｂへ呼び出し通知されることで、使用者がコードレス電話子機３ｂを応答操作すると、通話要求をドアホン親機２ｂへ送信し、通話要求を送信したスロットに対応した受信スロットの受信を開始する。この時、通話要求を送信するスロットは、予め決められた従属局側の送信スロット（スロット５からスロット８）から、同期スロットおよび同報スロットと対応するスロット（スロット５、スロット６）を除いた送信スロットが選択され、本実施の形態では、コードレス電話子機３ｂは、この通話要求をスロット７で送信し、スロット３でドアホン親機２ｂからの通話応答を受信する例を示している（Ｓ９）。
【０１２９】
ドアホン親機２ｂは、通話要求を受信すると、通話要求を受信したスロットに対応する送信スロット、即ちスロット３を使用して通話応答を送信する（Ｓ１０）。
【０１３０】
そしてコードレス電話子機３ｂは、この通話応答を受信すると、次のスロット７から通話を開始する（Ｓ１１）。以後、スロット３とスロット７でドアホン親機２ｂとコードレス電話子機３ｂで音声データの送受信が行われ、玄関子機２ａとコードレス電話子機３ｂの音声がつながり、使用者は来訪者との通話が可能となる。
【０１３１】
コードレス電話子機３ｂは、ドアホン親機２ｂと通話を開始しても、コードレス電話親機３ａからの同期スロットで通知される制御情報は受信し続けている。これは、コードレス電話子機３ｂとドアホン親機２ｂとが通話をしているときに、電話回線４から着信があった場合に、コードレス電話子機３ｂへ通知可能な状態とするためにである。そうすることによりコードレス電話親機３ａからコードレス電話子機３ｂへ着信通知があると、ドアホン親機２ｂと通話中のスピーカに重畳音で報知することができるので利便性が高い。
【０１３２】
又、コードレス電話子機３ｂは、ドアホン親機２ｂと通話を開始しても、ドアホン親機２ｂからの同報スロットで送信される映像データを受信し続けている。これは、使用者が来訪者と通話をしながら、来訪者の表情等の様子を見ることができるので利便性が高い。
【０１３３】
又、外線着信の場合も、上記と同様であり、コードレス電話親機３ａは同期スロットで外線着信を報知し、それを受信したコードレス電話子機３ｂは、リンガーを鳴らすなどして、使用者に着信を報知し、使用者が応答操作をすると、同期スロットと同報スロットに対応する送信スロット以外の送信スロットを選択してコードレス電話親機３ａに通話要求を行い、外線との通話を開始する。尚、コードレス電話子機３ｂは、外線との通話中も、同報スロットの受信を継続し、ドアホン親機２ｂからの呼出を待ち受けることができる。
【０１３４】
又、コードレス電話子機３ｂは、一方からの呼出を受信し呼出を報知している場合も、他方の制御信号を送信するスロットの受信を継続しているので、ドアホン親機２ｂとコードレス電話親機３ａの両方からの呼出があった場合でも、同時に報知が可能である。
【０１３５】
次に、コードレス電話子機３ｂがコードレス電話親機３ａと通信不可能な範囲に配置されるために、無線中継装置であるリピータ装置を備えた場合を図９および図１０に基づいて説明する。図９は、本発明の実施の形態に係る無線通信システムに無線中継装置を備えた場合の図である。図１０は、本発明の実施の形態に係る無線中継装置を備えた無線通信システムにおいて通信を行う際の送信スロットおよび受信スロットの状態を説明する図である。なお、図９においては図１と同じ構成のものは同符号を付して説明は省略する。
【０１３６】
図９に示す無線通信システム１０は、コードレス電話親機３ａとコードレス電話子機３ｂとのパケットが到達できない程度の距離にあるためリピータ装置１１を備えている。
【０１３７】
図１０に示すように本実施の形態に係るリピータ装置１１は、コードレス電話親機３ａの制御情報のパケットを奇数スロットとし、ドアホン装置２の制御信号の送信を偶数スロットにして再送する。
【０１３８】
詳細には、コードレス電話親機３ａが同期スロットであるスロット１で制御情報を送信している場合には、リピータ装置１１は、スロット１でコードレス電話親機３ａの制御情報を受信し、奇数スロットであるスロット３でスロット１で受信した制御情報（コードレス電話親機ＩＤや呼出制御信号等）を送信する。
【０１３９】
コードレス電話子機３ｂは、スロット２の同報スロットでドアホン親機２ｂの制御情報を、そしてスロット３を同期スロットとしてリピータ装置１１の制御情報を受信する。このとき、コードレス電話親機３ａまたはリピータ装置１１は奇数スロットで制御情報を送信し、ドアホン親機２ｂは偶数スロットで制御情報を送信するので、コードレス電話子機３ｂは、ドアホン親機２ｂとリピータ装置１１の制御情報を別のスロットで受信することができる。
【０１４０】
また、リピータ装置１１をドアホン親機２ｂの中継装置とする場合には、リピータ装置１１は、２スロットでドアホン親機２ｂの制御情報を受信し、偶数スロットであるスロット４で制御情報を送信するようにすることで、混信することなくドアホン親機２ｂとの通信を中継することができる。
【０１４１】
尚、上記例では、コードレス電話子機３ｂが同期スロットの制御情報と同報スロットの制御情報の両方を受信できるよう、リピータ装置１１は、コードレス電話親機３ａの制御情報のパケットを奇数スロットとし、ドアホン装置２の制御信号の送信を偶数スロットにして再送することにより、コードレス電話子機３ｂが、コードレス電話親機３ａ又はコードレス電話親機３ａの信号を再送するリピータ装置１１のいずれか一方が送信する同期スロットの制御信号と、ドアホン装置２又はドアホン装置２の信号を再送するリピータ装置１１のいずれか一方が送信する同報スロットの制御信号とを受信できるようにした例を示したが、コードレス電話親機３ａ及びコードレス電話親機３ａの信号を再送するリピータ装置１１が使用するスロットと、ドアホン装置２及びドアホン装置２の信号を再送するリピータ装置１１が使用するスロットが別々であればコードレス電話子機３ｂが同期スロットの制御情報と同報スロットの制御情報の両方を受信でき、例えば、フレーム内のスロットの前半と後半でそれぞれが使用するスロットを振り分けるなどしてコードレス電話子機３ｂが同期スロットの制御情報と同報スロットの制御情報の両方を受信できるようにしても良い。
【０１４２】
以上、本発明の実施の形態について説明してきたが、本発明は前記実施の形態に限定されるものではない。
【０１４３】
本実施の形態では副制御局としてドアホン装置のドアホン親機を１台だけ備えたものであったが、例えば、二世代住宅のように２台以上のドアホン装置を備えていもよい。その場合には副制御局が２台以上となるので、制御情報を送信する同報スロットがそれぞれが重ならないように、同期スロットを除いた送信スロットの中でそれぞれの副制御局に対して同報スロットを割り当てることで通信が可能となる。
【０１４４】
又、本実施の形態ではコードレス電話親機を主制御局、ドアホン親機を副制御局とした例を示したが、実施の形態と逆の構成、即ち、コードレス電話親機を副制御局、ドアホン親機を主制御局としてもよい。
【０１４５】
又、本発明は２つの制御局が存在する無線通信システムに広く応用が可能で有り、例えば、２台のコードレス電話親機の一方が主制御局、他方が副制御局となるような同一の無線設備が複数ある構成やコードレス電話、ドアホン以外の無線ＬＡＮ等の無線通信装置への適用も可能である。
【０１４６】
副制御局であるドアホン親機２ｂを実現するハードウェア構成を図１１に示す。
【０１４７】
多重分離回路８２０は、玄関子機２ａから受信した来訪者の映像信号、玄関子機２ａを通じた来訪者との会話音声信号、玄関子機２ａから受信した来訪者の通知信号を分離重畳をする電気的インターフェースとしてトランジスタ等で構成されている。
【０１４８】
多重分離回路８２０と対応するハードウェア構成は、ドアホンインターフェース１００１と、ドアホンインターフェース１００１から出力される玄関子機２ａとドアホン親機２ｂ間の映像信号をこの後段で使用するアナログ映像信号に変換する映像復調ＩＣ１００２と、映像復調ＩＣのアナログ信号をデジタル映像信号に変換するビデオキャプチャＩＣ１００３と、デジタル映像信号を記憶するＳＤＲＡＭ１００６と、デジタルビデオ信号を録画再生などの管理を行うＣＰＵであるＶ８５０ＣＰＵ１００５と、Ｖ８５０ＣＰＵ１００５のプログラムが記憶されているＦＲＡＳＨ  ＲＯＭ１００７と、Ｖ８５０ＣＰＵ１００５プログラムが動作する際に使用するメモリＳＲＡＭ１００８である。
【０１４９】
また、玄関子機２ａの来訪者とドアホン親機２ｂの使用者との間で会話をするために、玄関子機２ａ側とのインターフェース信号として電話のような２線信号で通信されているアナログ信号と、ドアホン親機２ｂの音声回路８０６を構成するボイススイッチＩＣ１００９と無線通信用のベースバンドＩＣ１０１１とで使用する４線信号のアナログ信号との変換を、２−４変換回路１００９で行っている。
【０１５０】
通話部８０７はマイク１０１５とスピーカ１０１６から構成される。マイク１０１５からボイススイッチ１００９へ親機側で発声した音声が出力される。玄関子機２ａで発声した音声は、ボイススイッチ１００９からスピーカアンプ回路１０１０で電力増幅し、スピーカ１０１６で再生される。音声回路８０６の一部を構成するボイススイッチ１００９が、マイクからの音量とスピーカへの音量を比較し、送話と受話を切り替えるために実装されている。
【０１５１】
玄関子機２ａから信号が入力されたことを制御部８１４と呼び出し検知部８０４を兼用したメインＣＰＵ１０１７で検知する。メインＣＰＵ１０１７は、呼び出しを検知した場合、報知部８０５でＬＥＤ１０１７を点滅させ、来訪を知らせる。これに応答して親機側で応答ボタン８０８と対応するキーマトリクススイッチ１０１８を押すと、メインＣＰＵ１０１７がそれを検知し、音声の通話ができるように全体を制御する。
【０１５２】
玄関子機２ａからビデオキャプチャＩＣ１００３にアナログ画像信号が入力されると、ビデオキャプチャＩＣ１００３はＳＲＡＭ１００６を用いてアナログ画像信号をデジタル画像信号に変換する。
【０１５３】
さらに、Ｖ８５０ＣＰＵ１００５は、デジタル画像信号を録画する、時計タイマー１００４の時刻情報を用いてデジタル画像信号に時刻情報を付加する、などの機能を実現している。ＦＬＡＳＨ  ＲＯＭ１００７に蓄積されたプログラムをＶ８５０ＣＰＵ１００５がＳＲＡＭ１００８を用いて実行することによって実現される。
【０１５４】
Ｖ８５０ＣＰＵ１００５で生成された信号がコードレス電話子機３ｂへ出力するためにベースバンドＩＣ１０１１へ出力される。
【０１５５】
また、玄関子機２ａからの来訪者の画像をモニタ回路８０１としてのＬＣＤドライバＩＣ１０１９を用いてＬＣＤパネル１０２０に表示する。
【０１５６】
ベースバンドＩＣ１０１１は、制御部８１４の一部とフレーム処理部８０９と音声回路８０６の一部を実装している。ベースバンドＩＣ１０１１は音声情報、画像情報、制御信号等に、ＴＤＭＡ−ＴＤＤ方式の通信に必要な同期信号とエラー検知用のエラー検出符号を付加し、ＴＤＭＡ方式のフレーム、タイムスロットに合わせて送信データ列を生成し、又、受信した受信データ列から、ＴＤＭＡ方式のフレーム、タイムスロットに合わせてエラー検知の処理を行い、エラーのなかったタイムスロットで受信された、音声情報、制御信号を出力する。
【０１５７】
ベースバンドＩＣ１０１１が実行するプログラムの記憶とホッピングパターン記憶部８１２をＦＬＡＳＨ  ＲＯＭ１０１２が実現している。
【０１５８】
また、ベースバンドＩＣ１０１１がプログラムを実行する際に使用するメモリとそのメモリ中で実現されている画像情報記憶部８０３を、ＳＲＡＭ１０１３で実現している。また、親機と増設親機間の無線通信において、増設親機が親機の同定をするためのＩＤ情報をＥＥＰＲＯＭ１０１４に記憶している。
【０１５９】
送受信部８１０、入力されたデータ列を変調、増幅し、又、受信した無線信号を増幅復調し受信データを出力する周波数ホッピングを用いたＴＤＭＡ方式の無線の送受信を行う無線ＩＣ１０１５と複数のアンテナを切り替えるスイッチ１０１６で実現されている。
コードレス電話子機３ｂを実現するハードウェア構成を図１２に示す。
【０１６０】
制御部９１１は、ベースバンドＩＣ１１０１とＦｌａｓｈ  ＲＯＭ１１０２とＳＲＡＭ１１０３とＥＥＰＲＯＭ１１０４とＬＣＤ電源制御回路１１０５とで構成される。
【０１６１】
ベースバンドＩＣ１１０１はベースバンドＩＣ１１０１が実行するプログラムを記憶したＦｌａｓｈ  ＲＯＭ１１０２と、ベースバンドＩＣ１１０１がプログラムを実行する際に用いるメモリであるＳＲＡＭ１００３とを用いてコードレス電話子機の制御を行う。ｄドアホン親機２ｂとコードレス電話子機３ａの無線通信においてドアホン親機２ｂがコードレス電話子機３ａの同定をするためのＩＤ情報をＥＥＰＲＯＭ１０１４が記憶している。
【０１６２】
ベースバンドＩＣ１１０１は無線の送受信において用いるフレーム処理部９０６と、音声回路９０２の一部を実装している。この音声回路９０２により玄関子機２ａあるいはドアホン親機２ｂと通話することが可能になる。
【０１６３】
Ｆｌａｓｈ  ＲＯＭ１１０２は、ベースバンドＩＣ１１０１が実行するプログラムと、無線通信において用いられるホッピングパターンを記憶しており、ホッピングパターン記憶部９０９も実装している。
【０１６４】
また、ＬＣＤ電源制御回路１１０５は、ベースバンドＩＣ１１０１の制御に基づき、ＬＤＣドライバＩＣ１１０６の電源の制御を行う。
【０１６５】
モニタ回路９０４は、ＬＣＤドライバＩＣ１１０６で実装される。また、モニタはＬＣＤパネル１１０７で実装される。
【０１６６】
報知部９０１は、ドアホン親機２ｂからの着信を表示するＬＥＤ１１０８で実装される。また、ドアホン親機２ｂからの着信に対し、使用者が応答操作をする応答ボタン９１０は、キーマトリクス１１０９で実装される。
【０１６７】
使用者がドアホン親機２ｂを通じて玄関子機２ａと通話する際に使用する通話部９０３は、マイク１１１０とスピーカ１１１１で実装される。また、スピーカ１１１１を鳴らすための電力増幅をするために音声回路９０２の一部としてスピーカアンプ回路１１１２が実装される。
【０１６８】
ベースバンドＩＣ１１０１から／への画像や音声の通信データのやり取りを無線の送受信を行うための送受信部９０７は、無線ＩＣ１１１３で実装している。ここで、複数のアンテナを用いて送受信するためにアンテナ切替えスイッチ１１１４を用いている。
【０１６９】
増設子機は、携帯できるようにするため電池を含む充電制御回路１１１６とＬＣＤパネル１１０７を動作させる電源としてＬＣＤ電源昇圧回路１１１７とベースバンドＩＣ１１０１の電源とリセットを制御する電源・リセット回路１１１８を実装している。また、増設子機の電池を充電するために充電端子１１１５を実装している。
【０１７０】
玄関子機２ａの外観図を図１３に示す。
【０１７１】
玄関子機の前面には、来訪者を画像信号とするカメラ１２０１と来訪者と通話を行うマイク１２０２とスピーカ１２０３と来訪者がドアホン親機２ｂおよびコードレス電話子機３ｂに来訪を伝える呼び出しボタン１２０４がある。
【０１７２】
ドアホン親機２ｂの外観図を図１４に示す。
【０１７３】
ドアホン親機２ｂの前面には、玄関子機２ａの来訪者の画像を映すＬＣＤパネル１０２０とキーマトリクススイッチ１０１８と来訪を光で表示するＬＥＤ１０１７がある。また、玄関子機２ａの来訪者と通話するためのマイク１０１５とスピーカ１０１６を有している。
【０１７４】
コードレス電話子機の外観図を図１５に示す。
【０１７５】
コードレス電話子機３ｂは携帯でるようになっている。コードレス電話子機３ｂの前面には、玄関子機２ａの来訪者の画像を映すＬＣＤパネル１１０７とキーマトリクススイッチ１１０９と来訪を光で表示するＬＥＤ１１０８がある。また、玄関子機２ａの来訪者と通話するためのマイク１１１０とコードレス電話子機３ｂの背面にスピーカ１１１１を有している。
【０１７６】
この構成により、来訪者は、玄関子機２ａを用いて、室内の使用者と会話ができる。ここで、玄関子機の画像は、ドアホンインターフェース１００１を有するドアホン親機２ｂを経由し、コードレス電話親機３ａとも接続されているコードレス電話子機３ｂで室内の使用者に出力することができる。また、玄関子機２ａとコードレス電話子機３ｂで会話ができる。そのため、室内での使用者は、コードレス電話子機３ｂを持ち移動しながら、あるいは待ち受け時に都合の良い場所に置きながら使用することができるという効果を奏する。
【産業上の利用可能性】
【０１７７】
本発明は、タイミングのずれを防止して、複数の制御局と従属局とが確実に通信可能とすることができるので、制御局と従属局とが時分割多重で通信を行う無線通信システムに好適である。
【図面の簡単な説明】
【０１７８】
【図１】本発明の実施の形態に係る無線通信システムの構成を示す図
【図２】本発明の実施の形態に係るドアホン装置の構成を説明する図
【図３】本発明の実施の形態に係るコードレス電話装置のコードレス電話親機の構成を説明する図
【図４】本発明の実施の形態に係るコードレス電話装置のコードレス電話子機の構成を説明する図
【図５】パケットデータのフォーマットを説明する図
【図６】本発明の実施の形態に係る無線通信システムにおいて通信を行う際の送信スロットおよび受信スロットの状態を説明する図
【図７】本発明の実施の形態に係る無線通信システムにおいて通信を行う際の送信スロットおよび受信スロットの状態を説明する図
【図８】本発明の実施の形態に係る無線通信システムにおいて通信を行う際の送信スロットおよび受信スロットの状態を説明する図
【図９】本発明の実施の形態に係る無線通信システムに無線中継装置を備えた場合の図
【図１０】本発明の実施の形態に係る無線中継装置を備えた無線通信システムにおいて通信を行う際の送信スロットおよび受信スロットの状態を説明する図
【図１１】本発明の実施の形態に係る無線通信システムのドアホン親機のハードウェア構成を示す図
【図１２】本発明の実施の形態に係る無線通信システムのコードレス電話子機のハードウェア構成を示す図
【図１３】本発明の実施の形態に係る無線通信システムの玄関子機の外観図
【図１４】本発明の実施の形態に係る無線通信システムのドアホン親機の外観図
【図１５】本発明の実施の形態に係る無線通信システムのコードレス電話子機の外観図
【図１６】コードレス電話装置とドアホン装置を備えた構成を示す図
【符号の説明】
【０１７９】
１    無線通信システム
２    ドアホン装置
２ａ    玄関子機
２ｂ    ドアホン親機
３    コードレス電話装置
３ａ    コードレス電話親機
３ｂ    コードレス電話子機
４      電話回線
１０    無線通信システム
１１    リピータ装置
１０１    カメラ部
１０２    通話部
１０３    呼び出し検知部
１０４    多重分離回路
２０１    モニタ回路
２０２    モニタ
２０３    画像情報記憶部
２０４    呼び出し検知部
２０５    報知部
２０６    音声回路
２０７    通話部
２０８    同期処理部
２０９    フレーム処理部
２１０    無線部
２１１    操作部
２１３    アンテナ
２１４    制御部
２１５    電話親機ＩＤ記憶部
２１６    ドアホンＩＤ記憶部
２２０    多重分離回路
３０１    回線インタフェース部
３０２    音声回路
３０３    着信検知部
３０４    子機ＩＤ記憶部
３０５    電話親機ＩＤ記憶部
３０６    フレーム処理部
３０７    無線部
３０８    アンテナ
３１１    制御部
４０１    報知部
４０２    音声回路
４０３    通話部
４０４    モニタ回路
４０５    同期処理部
４０６    フレーム処理部
４０７    無線部
４０８    アンテナ
４０９    操作部
４１０    制御部
４１１    子機ＩＤ記憶部
４１２    電話親機ＩＤ記憶部
４１３    ドアホンＩＤ記憶部
４１４    モニタ
【図１】
2006352411.tif 000003
【図２】
2006352411.tif 000004
【図３】
2006352411.tif 000005
【図４】
2006352411.tif 000006
【図５】
2006352411.tif 000007
【図６】
2006352411.tif 000008
【図７】
2006352411.tif 000009
【図８】
2006352411.tif 000010
【図９】
2006352411.tif 000011
【図１０】
2006352411.tif 000012
【図１１】
2006352411.tif 000013
【図１２】
2006352411.tif 000014
【図１３】
2006352411.tif 000015
【図１４】
2006352411.tif 000016
【図１５】
2006352411.tif 000017
【図１６】
2006352411.tif 000018